(57)【要約】      （修正有）【課題】権限の無い他人が画面の映像を見ること、又は、撮像することを防止するための装置を提供することにある。【解決手段】  画面秘匿システムは、ディスプレイ装置の前方に向けて偏光を照射するための偏光装置とディスプレイ装置の画面を見る人の目に装着する偏光眼鏡とを有する。偏光眼鏡の偏光方向は偏光装置からの偏光の偏光方向と直交する。偏光眼鏡を装着していない視聴者の目には、偏光装置からの偏光が直接照射されるから、眩しくて、ディスプレイ装置の画面を見ることができない。しかしながら、偏光眼鏡を装着している視聴者の目には、偏光装置からの光は偏光眼鏡の偏光板によって遮断されるから、偏光装置からの偏光によって妨害されることなく、ディスプレイ装置の画面を見ることができる。【選択図】  図１
2006292844.tif 000002
【特許請求の範囲】
【請求項１】
ディスプレイ装置の前方に向けて偏光を照射するための偏光装置と上記ディスプレイ装置の画面を見る人の目に装着するための眼鏡形の画面観察器具とを有し、該画面観察器具は偏光板を有し、該偏光板の偏光方向は上記偏光装置からの偏光の偏光方向と直交するように構成されていることを特徴とする画面秘匿システム。
【請求項２】
請求項１記載の画面秘匿システムにおいて、上記偏光装置からの偏光の偏光方向と上記画面観察器具の偏光板の偏光方向は直交した状態にて同期的に回転することを特徴とする画面秘匿システム。
【請求項３】
請求項２記載の画面秘匿システムにおいて、上記偏光装置からの偏光の偏光方向と上記画面観察器具の偏光板の偏光方向は不規則的に回転することを特徴とする画面秘匿システム。
【請求項４】
請求項１記載の画面秘匿システムにおいて、更に、上記ディスプレイ装置の画面より大きく且つ該画面の前方を囲む枠体を設けることを特徴とする画面秘匿システム。
【請求項５】
請求項１記載の画面秘匿システムにおいて、上記偏光装置は、上記ディスプレイ装置の画面にて機密情報を表示する場合にのみ偏光を照射することを特徴とする画面秘匿システム。
【請求項６】
請求項１記載の画面秘匿システムにおいて、上記偏光装置から偏光が照射されないときには、上記ディスプレイ装置の画面に機密情報は表示されないことを特徴とする画面秘匿システム。
【発明の詳細な説明】
【技術分野】
【０００１】
本発明は、権限の無い他人が画面の映像を見ること、又は、撮像することを防止するための画面秘匿システムに関し、特に、パーソナルコンピュータ、テレビジョン受像機等のディスプレイ装置に使用して好適な画面秘匿装置に関する。
【背景技術】
【０００２】
特定の視聴者のみが情報を閲覧できるシステムとしては、機密情報ファイルを特定の人のみが編集、及び、閲覧可能なソフトウエアがある。また、特開平5-313146号公報に記載された例のように、液晶の表示原理を利用して、偏光板又は1/4偏光板がないと閲覧不能なディスプレイ装置も知られている。
【特許文献１】特開平5-313146号公報
【発明の開示】
【発明が解決しようとする課題】
【０００３】
しかしながら、機密情報ファイルを特定の人のみが編集、及び、閲覧可能なソフトウエアでは、ディスプレイを覗き込むことにより、容易に権限のない人がその情報を閲覧すること、又は、カメラでの撮影することができる。従って、機密情報の漏洩を防ぐことはできない。また、特開平5-313146号公報に記載された例のように、液晶の表示原理を利用する方法は、液晶ディスプレイ装置には適用可能であるが、ＣＲＴディスプレイ装置には適用することができない。また、この方法では、偏光板または1/4波長板があれば、その偏光方向を液晶装置の偏光方向に一致させた場合に、閲覧可能となる。例えば、偏光板等を回転させることにより閲覧可能な角度を見つけ出せば、閲覧可能となる。また、一眼レフカメラのフィルタとして回転可能な偏光板を装着し、それを回転させることにより撮影可能な角度を見つけ出見し、撮影を行うことができる。
【０００４】
本発明の目的は、権限の無い他人が画面の映像を見ること、又は、撮像することを防止するための装置を提供することにある。
【課題を解決するための手段】
【０００５】
本発明によると、画面秘匿システムは、ディスプレイ装置の前方に向けて偏光を照射するための偏光装置とディスプレイ装置の画面を見る人の目に装着するための眼鏡形の画面観察器具、即ち、偏光眼鏡とを有する。偏光眼鏡は偏光板を有し、この偏光板の偏光方向は偏光装置からの偏光の偏光方向と直交する。
【０００６】
従って、偏光眼鏡を装着していない視聴者の目には、偏光装置からの偏光が直接照射されるから、眩しくて、ディスプレイ装置の画面を見ることができない。また、カメラ等によって画面を撮像しても、偏光装置からの偏光により過度に露光されてしまうため、画面の映像を得ることはできない。しかしながら、偏光眼鏡を装着している視聴者の目には、偏光装置からの光は偏光眼鏡の偏光板によって遮断される。従って、その視聴者は、偏光装置からの偏光によって妨害されることなく、ディスプレイ装置の画面を見ることができる。
【発明の効果】
【０００７】
本発明によると、権限の無い他人が画面の映像を見ること、又は、撮像することを防止することができる。
【発明を実施するための最良の形態】
【０００８】
図１及び図２を参照して本発明による画面秘匿システムの例を説明する。本例の画面秘匿システムは、図１に示すディスプレイ装置側に設けた枠体１０及び偏光装置２０と図２に示す視聴者が装着する眼鏡形の画面観察器具、即ち、偏光眼鏡５０を有する。ディスプレイ装置１は、パーソナルコンピュータ、テレビジョン受像機等の表示装置であってよいが、表示原理に偏光板を用いないものが好ましい。
【０００９】
図１を参照して、ディスプレイ装置側に設けた偏光装置２０を説明する。偏光装置２０は、ディスプレイ装置１の上側に設けられた光源２１、集光板２２、偏光板２３、偏光板２３を水平軸線周りに回転させるための回転装置２４、及び、制御装置２５を有する。光源２１は、保安上光源交換を容易に行えないようにする必要があるため、LED等の寿命の長いものが望ましい。集光板２２は、光源２１の背後に設けられ、光源２１からの光を前方に反射させるように、放物面を有するのが望ましい。偏光板２３は円形であり、光源２１の前方に垂直に配置されている。偏光板２３には、回転角度を検出するための回転角度検出装置が設けられている。
【００１０】
回転装置２４は、偏光板２３の周囲に形成されたラック、このラックに係合するピニオン、及び、このピニオンを装着したモータを含むように構成してよい。制御装置２５は、光源２１の点灯及び消灯、及び、回転装置２４の動作を制御する。光源２１、集光板２２、偏光板２３、回転装置２４、及び、制御装置２５は、ユーザが触れないように、適当なケーシング内に収容するとよい。
【００１１】
枠体１０は、ディスプレイ装置１より大きな４角形の筒状体であり、前面１１が開放されている。内部装置へのアクセスを防止する、ディスプレイ装置による偏光の「影」からの撮影を防止する、という二つの理由から、前面１１にはガラス板などの偏光をそのまま通過させる素材を装着するとよい。図示の例では、枠体１０は、ディスプレイ装置１の前側に設けられているが、ディスプレイ装置全体を囲むように構成してもよい。枠体の背面１２は密閉され、外部から枠体内に光が入らないように構成されている。枠体の内面には、反射防止膜が設けられている。反射防止膜は、黒色の塗料等の光吸収材により形成される。
【００１２】
図２を参照して偏光眼鏡５０の例を説明する。偏光眼鏡５０は、フレーム５１、このフレームに装着された円形の偏光板５２、５３、偏光板５２、５３を回転させる回転装置５４、及び、制御装置５５を有する。偏光板５２、５３には、回転角度を検出するための回転角度検出装置が設けられている。回転装置５４は、例えば、偏光板の周囲に設けられたラック、このラックに係合するピニオン、及び、このピニオンを回転させるモータを含むように構成してよい。モータは、モータ自身又は制御装置に内蔵された電池によって、又は、ケーブル５６を介して接続された電源によって、回転する。制御装置５５は、回転装置５４を制御する。制御装置５５はポケットに装着することができる。
【００１３】
本例によると、偏光板５２、５３の偏光方向と偏光板２３から偏光の偏光方向は互いに直交している。従って、偏光眼鏡５０の偏光板５２、５３は、偏光板２３からの偏光を遮断する。それによって、偏光眼鏡５０を装着している人の目には、偏光板２３から偏光が照射されない。
【００１４】
次に、本発明による画面秘匿システムの使用方法を説明する。ディスプレイ装置１の画面に、秘匿すべき映像が表示されているとき、ディスプレイ装置１の上側に設けられた光源２１からの光は、直接又は集光板２２を反射してから、偏光板２３に導かれる。この光は、偏光板２３によって偏光になる。偏光板２３からの偏光は、枠体１０を通り、ディスプレイ装置１の前方に放射される。従って、偏光板２３からの偏光は、ディスプレイ装置１の画面を視聴している人の目に照射される。
【００１５】
偏光眼鏡５０を装着していない視聴者の目には、偏光板２３からの偏光が直接照射されるから、眩しくて、ディスプレイ装置１の画面を見ることができない。また、カメラ等によって画面を撮像しても、偏光板２３からの偏光により過度に露光されてしまうため、画面の映像を得ることはできない。しかしながら、偏光眼鏡５０を装着している視聴者の目には、偏光板２３からの光は偏光眼鏡５０の偏光板５２、５３によって遮断される。従って、その視聴者は、偏光板２３からの偏光によって妨害されることなく、ディスプレイ装置１の画面を見ることができる。本例によると、偏光眼鏡５０を装着した者のみが、ディスプレイ装置１の画面を見ることができるが、偏光眼鏡５０を装着していない者には、ディスプレイ装置１の画面を見ることができないし、カメラ等により撮像をすることができない。こうして、本例に画面秘匿システムによって、ディスプレイ装置１の画面の機密情報を権限の無い他人に対して秘匿することができる。
【００１６】
本例によると、ディスプレイ装置１上の偏光板２３は、中心を通る水平軸線周りに回転する。同様に、偏光眼鏡５０の偏光板５２、５３は、中心を通る軸線周りに回転する。偏光板５２、５３と偏光板２３は、偏光方向が互いに直交した状態にて、回転する。従って、偏光板５２、５３に設けられた回転装置５４の回転は、偏光板２３に設けられた回転装置２４の回転と同期する必要がある。２つの回転装置２４、５４の間で同期を取る方法の例は、後に詳細に説明する。
【００１７】
本例では、権限の無い他人が偏光板を持っていても、偏光板２３の偏光方向は回転するから、偏光板２３からの偏光を遮断することはできない。従って、画面を閲覧することはできない。権限の無い他人が偏光板を持っている場合、その偏光板によって偏光板２３からの偏光を遮断するには、その偏光板を偏光板２３の回転に同期して回転させなければならない。また、権限の無い他人がビデオカメラや一眼レフカメラのフィルタとして偏光板を装着した場合も同様である。画面の映像を撮像するためには、偏光板フィルタを、偏光板２３の回転に同期して回転させなければならない。このようなことは実際上極めて困難であるため、実質的に権限の無い他人が画面を見ること又は撮像することはできない。
【００１８】
尚、ここでは、偏光装置２０の偏光板２３と偏光眼鏡５０の偏光板５２、５３は共に回転するように構成されているが、これらの偏光板２３、５２、５３は固定され回転しないように構成してもよい。但し、偏光板２３と偏光板５２、５３の偏光方向は互いに直交するように設定される。この場合、回転装置２４、５４を省略することができるから、画面秘匿システムの構造が簡単化される。
【００１９】
次に、図３を参照して、パーソナルコンピュータのディスプレイ装置の画面に表示された機密情報を権限がない他人が見ることを防止する方法を説明する。パーソナルコンピュータ３と偏光装置２０の間は、３本のケーブル３０１、３０２、３０３によって接続されている。
【００２０】
第１のケーブル３０１は、偏光装置２０の起動及び停止を制御するスイッチの機能を有する。通常時、即ち、パーソナルコンピュータが機密情報を表示していないとき、第１のケーブル３０１には電圧が印加されている。パーソナルコンピュータ３が機密情報を表示したとき、第１のケーブル３０１の電圧はオフとなる。偏光装置２０は、第１のケーブル３０１の電圧がオフとなったとき、機密情報が表示されている判断して、偏光を照射し、第１のケーブル３０１の電圧がオンとなったとき、機密情報が表示されていないと判断して、偏光の照射を停止する。こうして本例によると、偏光装置２０は、機密情報が表示されているときのみ作動するから、機密情報が表示されていないときには通常利用が可能である。
【００２１】
第２のケーブル３０２は、パーソナルコンピュータ３と偏光装置２０の間の接続の異常を検出する機能を有する。通常時、即ち、接続が正常のとき、第２のケーブル３０２には電圧が印加されている。第２のケーブル３０２の電圧がオフとなったとき、パーソナルコンピュータ３と偏光装置２０の間は、断線していることになる。このような場合には、偏光装置２０は作動しないため、機密情報を表示すべきでない。従って、第２のケーブル３０２の電圧がオフとなったとき、パーソナルコンピュータ３は、機密情報の表示を行わない。
【００２２】
第３のケーブル３０３は、偏光装置２０の異常を検出する機能を有する。第３のケーブル３０３には偏光装置２０の電圧が印加されている。従って、偏光装置２０が偏光を照射しているときは、第３のケーブル３０３の電圧はオンであり、偏光装置２０が偏光を照射していないときは、オフである。パーソナルコンピュータ３は、第３のケーブル３０３の電圧がオフのとき、偏光装置２０は故障していると判断する。このような場合には、機密情報を表示すべきでない。従って、第３のケーブル３０３の電圧がオフとなったとき、パーソナルコンピュータ３は、機密情報の表示を行わない。
【００２３】
こうして本例によると、偏光装置２０が作動しないときには、機密情報を表示しないため、機密情報の漏洩を防止することができる。
【００２４】
次に、２つの回転装置２４、５４の間で同期を取る方法を説明する。本例では、２つの制御装置２５、５５は、それぞれ同一の乱数表と正確な時計を有する。２つの制御装置２５、５５は、それぞれ別個に、同一の乱数表を用いて、偏光板の角速度、回転開始時間、次の計算時間の計算を行う。２つの制御装置２５、５５は、それぞれ暗号を用いて近距離無線通信を行うための無線通信装置を備えている。
【００２５】
偏光眼鏡５０にはそれぞれ、シリアル番号が付与されており、ディスプレイ装置１に設けられた制御装置２５には、偏光眼鏡５０のシリアル番号が登録されている。
【００２６】
図４を参照して、本例の画面秘匿システムの起動動作について説明する。ステップＳ１０１にて、ディスプレイ装置１に設けられた偏光装置２０を起動する。ディスプレイ装置１の起動をトリガーとして、偏光装置２０を起動してもよい。ステップＳ１０２にて、偏光装置２０の無線通信装置は、偏光眼鏡５０にシリアル番号の送信を要求する。ステップＳ１０３にて、偏光眼鏡５０の無線通信装置はシリアル番号を送信する。ステップＳ１０４にて、制御装置２５の無線通信装置はシリアル番号を受信する。ステップＳ１０５にて、偏光装置２０の制御装置２５は、偏光眼鏡５０の使用の許可を判定する。即ち、受信したシリアル番号と、登録したシリアル番号を照合する。両者が一致しない場合には、この処理を終了する。両者が一致した場合には、ステップＳ１０６にて、偏光装置２０の無線通信装置は、偏光板２３の初期位置を送信する。ステップＳ１０７にて、偏光眼鏡５０の無線通信装置は、偏光板２３の初期位置を受信する。ステップＳ１０８にて、偏光眼鏡５０の制御装置５５は、偏光板５２、５３の初期位置が偏光板２３の初期位置に一致するように、偏光板５２、５３を回転させる。こうして、偏光板２３の初期位置と偏光板５２、５３の初期位置が一致すると、画面秘匿システムの起動動作が終了する。
【００２７】
図５を参照して、機密情報隠蔽処理の開始動作を説明する。ステップＳ２０１にて、偏光装置２０の制御装置２５は、ディスプレイ装置１の画面に、機密情報の表示が開始されようとしていることを検出する。制御装置２５は、例えば、ディスプレイ装置１の画面に機密情報の表示が開始されようとしていることを検出するプログラムを有する。ステップＳ２０２にて、制御装置２５は、光源２１を点灯させる。ステップＳ２０３にて、偏光装置２０の無線装置は、偏光眼鏡５０の無線通信装置と無線通信を開始する。無線通信が確立すると、ステップＳ２０４にて、偏光装置２０の無線装置は、乱数の種を偏光眼鏡５０の無線通信装置に送信する。
【００２８】
ステップＳ２０５にて、偏光装置２０の制御装置２５は、乱数表を用いて回転角速度、回転開始時間、次の計算時間を算出する。ステップＳ２０６にて、偏光装置２０の制御装置２５は、算出した結果に基づいて、回転装置２４を制御する。例えば、回転開始時間にモータを起動する。それによって、偏光板２３は、所定の回転角速度にて回転する。ステップＳ２０７にて、制御装置２５は、次の計算時間になったか否かを判定する。次の計算時間になったら、ステップＳ２０５に戻り、回転角速度、回転開始時間、次の計算時間を再度算出する。こうしてステップＳ２０５〜Ｓ２０７を繰り返すことによって、偏光装置２０の偏光板２３は不規則に回転する。
【００２９】
ステップＳ２０８にて、偏光眼鏡５０の無線装置は、乱数の種を受信する。ステップＳ２０９にて、偏光眼鏡５０の制御装置５５は、乱数表を用いて回転角速度、回転開始時間、次の計算時間を算出する。ここでは、制御装置２５の乱数表と同一の乱数表を用い、同一の乱数の種を使用するから、制御装置５５が算出した結果は、制御装置２５が算出した結果と同一となる。ステップＳ２１０にて、制御装置５５は、算出した結果に基づいて、回転装置５４を制御する。それによって、偏光板５２、５３は、偏光板２３の回転角速度と同一の回転角速度にて回転する。ステップＳ２１１にて、制御装置５５は、次の計算時間になったか否かを判定する。次の計算時間になったら、ステップＳ２０９に戻り、回転角速度、回転開始時間、次の計算時間を再度算出する。こうしてステップＳ２０９〜Ｓ２１１を繰り返すことによって、偏光眼鏡５０の偏光板５２、５３は不規則に回転する。
【００３０】
ディスプレイ装置が、液晶ディスプレイのように偏光板を投影原理として利用する場合、ディスプレイ装置からの偏光と偏光板２３からの偏光の方向が一致すると、偏光眼鏡５０を介して画面の映像を見ることができない。従って、この場合には、液晶ディスプレイの偏光の出力角度を予め入手し、液晶ディスプレイの偏光の角度と偏光板２３からの偏光の角度が同一とならないように、回転角速度、及び、回転開始時間を算出する。
【００３１】
上述の例では、偏光装置２０の制御装置２５と偏光眼鏡５０の制御装置５５は、同一の乱数表を用いて別個に回転角速度、回転開始時間、次の計算時間を算出したが、偏光装置２０の制御装置２５のみが、乱数表を用いて回転角速度、回転開始時間、次の計算時間を算出し、算出結果を偏光眼鏡５０に送信してもよい。偏光眼鏡５０の制御装置５５は、偏光装置２０から送信された算出結果に基づいて、回転装置５４を制御する。
【００３２】
図６は、偏光装置２０の偏光板２３及び偏光眼鏡５０の偏光板５２、５３の回転角速度の変化を示す。最初の時間Ｔ１では、回転角速度ｖ１にて回転し、次の時間Ｔ２では回転角速度ｖ２にて回転し、次の時間Ｔ３では回転角速度ｖ３にて回転する。ここで、時間Ｔ１、Ｔ２、Ｔ３及び回転角速度ｖ１、ｖ２、ｖ３は、乱数表から得られたランダムな値である。
【００３３】
図７を参照して、情報隠蔽処理の終了の動作を説明する。ステップＳ３０１にて、偏光装置２０の制御装置２５は、ディスプレイ装置１の画面に、機密情報の表示が終了したことを検出する。制御装置２５は、例えば、ディスプレイ装置１の画面に機密情報の表示が終了したことを検出するプログラムを有する。ステップＳ３０２にて、制御装置２５は、光源２１を消灯させる。
【００３４】
ステップＳ３０３にて、偏光装置２０の無線装置は、偏光眼鏡５０の無線通信装置と無線通信を開始する。無線通信が確立すると、ステップＳ３０４にて、偏光装置２０の無線装置は、偏光板の回転停止命令を偏光眼鏡５０の無線通信装置に送信する。
【００３５】
ステップＳ３０５にて、偏光装置２０の制御装置２５は、回転装置２４の回転を停止させる。尚、直ちに回転装置２４の回転を停止させずに、次の計算時間まで回転を継続させてもよい。この場合、次の計算時間になったら回転を停止する。ステップＳ３０６にて、偏光装置２０の制御装置２５は、停止した偏光板２３の回転角度位置を読み取る。こうして読み取った偏光板２３の回転角度位置は、次回の情報隠蔽開始の動作のために保存される。
【００３６】
ステップＳ３０７にて、偏光眼鏡５０の無線装置は、偏光板の回転停止命令を受信する。ステップＳ３０８にて、偏光眼鏡５０の制御装置５５は、回転装置５４の回転を停止させる。ステップＳ３０９にて、制御装置５５は、停止した偏光板５２、５３の回転角度位置を読み取る。こうして読み取った偏光板５２、５３の回転角度位置は、次回の情報隠蔽開始の動作のために保存される。
【００３７】
こうして機密情報の表示が終了すると、情報秘匿処理が終了し、偏光眼鏡５０を装着しない人でもディスプレイ装置１の画面を見ることができる。
【００３８】
以上、本発明の例を説明したが、本発明は上述の例に限定されるものではなく、特許請求の範囲に記載された発明の範囲にて様々な変更が可能であることは当業者によって容易に理解されよう。
【図面の簡単な説明】
【００３９】
【図１】本発明の偏光装置の例を示す図である。
【図２】本発明の偏光眼鏡の例を示す図である。
【図３】本発明の画面秘匿システムとディスプレイ装置の間のケーブルを説明するための説明図である。
【図４】本発明の画面秘匿システムの起動動作を説明するための説明図である。
【図５】本発明の画面秘匿システムの情報隠蔽開始動作を説明するための説明図である。
【図６】本発明の画面秘匿システムの回転装置の回転速度の例を示す図である。
【図７】本発明の画面秘匿システムの情報隠蔽終了動作を説明するための説明図である。
【符号の説明】
【００４０】
１…ディスプレイ装置、１０…枠体、１１…前面、１２…背面、２０…偏光装置、２１…光源、２２…集光板、２３…偏光板、２４…回転装置、２５…制御装置、５０…偏光眼鏡、５１…フレーム、５２、５３…偏光板、５４…回転装置、５５…制御装置
【図１】
2006292844.tif 000003
【図２】
2006292844.tif 000004
【図３】
2006292844.tif 000005
【図４】
2006292844.tif 000006
【図５】
2006292844.tif 000007
【図６】
2006292844.tif 000008
【図７】
2006292844.tif 000009